(57)【要約】【課題】  制御局、端末の処理負荷を軽減し、ネットワークの効率利用を可能とする通信ネットワークシステムを提供する。【解決手段】  制御局１０１は、アドレス管理部２０３によりデータ配信先が第１の端末１０２と判断された場合は第１の端末１０２宛に配信し、データ配信先が第１、第３の端末１０２、１０４と判断された場合は、すでにデータを配信している第１の端末１０２のアドレスをアドレス管理部２０３により取得し、前記アドレスに変更するための通知パケットをパケット管理２０１により作成し、送受信制御部２０２により前記通知パケットをネットワークへ送信し、受信側の第３の端末１０４は、送受信制御部３０２により前記通知パケットを受信し、パケット管理部３０１により通知パケットがアドレス変更通知であることを識別し、アドレス管理部３０３により自局のアドレスを変更し、変更したアドレス宛に送信されたパケットの受信を開始するようにした。【選択図】      図４
2005130368.tif 000002
【特許請求の範囲】
【請求項１】
ネットワークに接続された少なくとも１台以上の端末と前記端末を管理する制御局から構成される通信ネットワークシステムにおいて、
前記制御局は、
送信パケットの生成、及び受信パケットの内容解析を行うパケット管理手段と、前記ネットワークへの送受信を制御する送受信制御手段と、接続されている前記端末の固有アドレスと現在の変更アドレスを管理するアドレス管理手段を備え、
前記端末は、
送信パケットの生成、及び受信パケットの内容解析を行うパケット管理手段と、前記ネットワークへの送受信を制御する送受信制御手段と、自局のアドレス情報を管理するアドレス管理手段を備え、
前記制御局は、
前記アドレス管理手段によりデータ配信先が１つの端末であると判断された場合は前記端末宛に配信し、データ配信先が複数の端末であると判断された場合は、すでにデータを配信している端末のアドレスを前記アドレス管理手段により取得し、前記アドレスに変更するための通知パケットを前記パケット管理手段により作成し、前記送受信制御手段により前記通知パケットをネットワークへ送信し、
受信側である前記端末は、
前記送受信制御手段により前記通知パケットを受信し、前記パケット管理手段により前記通知パケットがアドレス変更通知であることを識別し、前記アドレス管理手段により自局のアドレスを変更し、変更したアドレス宛に送信されたパケットの受信を開始する、
ことを特徴とする通信ネットワークシステム。
【請求項２】
請求項１に記載の通信ネットワークシステムにおいて、
前記端末は、
アドレスを変更した前記端末からデータ配信停止要求のパケットを送信する時は、自局の固有アドレスを前記アドレス管理手段により取得し、前記パケット管理手段により前記固有アドレスを前記パケットに付与し、前記送受信制御手段により前記パケットを前記ネットワークへ送信する、
ことを特徴とする通信ネットワークシステム。
【請求項３】
請求項２に記載の通信ネットワークシステムにおいて、
前記端末は、
受信パケットのあて先が、前記アドレス管理手段により管理される前記端末の固有アドレス、前記端末が参加しているグループアドレス、または前記変更したアドレスである場合は前記送受信制御手段により前記パケットを受信し、前記固有アドレス、前記グループアドレス、または前記変更したアドレスでない場合は前記パケットを破棄する、
ことを特徴とする通信ネットワークシステム。
【請求項４】
請求項１に記載の通信ネットワークシステムにおいて、
前記アドレスは、固有アドレスもしくはグループアドレスを示す情報であり、
前記端末の固有アドレスを変換することにより得られるグループアドレスに、前記端末が起動時から参加している、
ことを特徴とする通信ネットワークシステム。
【発明の詳細な説明】
【技術分野】
【０００１】
本発明は、通信ネットワークシステムに関し、特にマルチキャスト通信に関するものである。
【背景技術】
【０００２】
従来、ＴＣＰ／ＩＰ（Transmission Control Protocol/Internet Protocol）に代表される１対１の通信では、複数の通信相手に同じデータを配信する場合、同一の通信手順を通信相手の数だけ繰り返す必要があり、データを配信する制御局の負荷やネットワークのトラフィックが端末の数に比例して増大する。また、ネットワーク内にある全ての端末にデータを配信するブロードキャスト通信は対象外の端末まで受信してしまい、端末内部の上位プロトコルで破棄するか受理するかの判断処理を行わなければならない。
【０００３】
これに対して、特定のグループに属している端末だけに配信するのがマルチキャスト通信である。代表的な仕組みとしては、ＩＰアドレスを使用して、マルチキャストグループに対して参加／脱会の手続きをマルチキャスト管理サーバに対して行うもので、その仕様がＲＦＣ−２２３６ 「Internet Group Management Protocol ver.2」等で規定されている。
【０００４】
従来の方法では、送信先のアドレスからマルチキャストアドレスを生成し、受信側では、受信したマルチキャストアドレスと自局のアドレスから破棄するか、受理するか判断する方法があり（例えば特許文献１参照）、また、一連のデータパケットの送信前に配信先となる各端末に対して送出先グループアドレスを通知することで、マルチキャスト配信を実現する方法が知られている（例えば特許文献２参照）。
【特許文献１】特許第３３９２５９９号公報
【特許文献２】特開２００２−３６８７５１号公報
【発明の開示】
【発明が解決しようとする課題】
【０００５】
しかしながら、上記従来の技術には、以下のような問題がある。特許第３３９２５９９号公報に開示されている方法では、グループに対する参加／脱会を行う必要がないが、送信グループに属している端末のアドレスから送信するたびにアドレスを計算するため、受信側では、そのあて先に自局が含まれているかどうかを常に確認しなければならず、実質ブロードキャスト通信と変わりがないという問題があった。また、特開２００２−３６８７５１号公報に開示されている方法では、グループに含まれる端末とそのグループアドレスを管理する必要があり、端末台数とグループ数が増えると参加／登録の手続きやグループアドレスの管理が複雑になるという問題があった。
【０００６】
本発明は、上記のような従来の問題点を解決するためになされたもので、制御局において、配信先が１端末の場合はその端末宛に配信し、さらに配信要求を別の端末から受けた場合は、その端末のアドレスをすでに配信している端末のアドレスに変更させることにより、制御局、端末の処理負荷を軽減し、ネットワークの効率利用を可能とする通信ネットワークシステムを提供することを目的とする。
【課題を解決するための手段】
【０００７】
上記課題を解決するため、本発明の請求項１による通信ネットワークシステムは、ネットワークに接続された少なくとも１台以上の端末と前記端末を管理する制御局から構成される通信ネットワークシステムにおいて、前記制御局は、送信パケットの生成、及び受信パケットの内容解析を行うパケット管理手段と、前記ネットワークへの送受信を制御する送受信制御手段と、接続されている前記端末の固有アドレスと現在の変更アドレスを管理するアドレス管理手段を備え、前記端末は、送信パケットの生成、及び受信パケットの内容解析を行うパケット管理手段と、前記ネットワークへの送受信を制御する送受信制御手段と、自局のアドレス情報を管理するアドレス管理手段を備え、前記制御局は、前記アドレス管理手段によりデータ配信先が１つの端末であると判断された場合は前記端末宛に配信し、データ配信先が複数の端末であると判断された場合は、すでにデータを配信している端末のアドレスを前記アドレス管理手段により取得し、前記アドレスに変更するための通知パケットを前記パケット管理手段により作成し、前記送受信制御手段により前記通知パケットをネットワークへ送信し、受信側である前記端末は、前記送受信制御手段により前記通知パケットを受信し、前記パケット管理手段により前記通知パケットがアドレス変更通知であることを識別し、前記アドレス管理手段により自局のアドレスを変更し、変更したアドレス宛に送信されたパケットの受信を開始することを特徴とするものである。
【０００８】
本発明の請求項２による通信ネットワークシステムは、請求項１に記載の通信ネットワークシステムにおいて、前記端末は、アドレスを変更した前記端末からデータ配信停止要求のパケットを送信する時は、自局の固有アドレスを前記アドレス管理手段により取得し、前記パケット管理手段により前記固有アドレスを前記パケットに付与し、前記送受信制御手段により前記パケットを前記ネットワークへ送信することを特徴とするものである。
【０００９】
本発明の請求項３による通信ネットワークシステムは、請求項２に記載の通信ネットワークシステムにおいて、前記端末は、受信パケットのあて先が、前記アドレス管理手段により管理される前記端末の固有アドレス、前記端末が参加しているグループアドレス、または前記変更したアドレスである場合は前記送受信制御手段により前記パケットを受信し、前記固有アドレス、前記グループアドレス、または前記変更したアドレスでない場合は前記パケットを破棄することを特徴とするものである。
【００１０】
本発明の請求項４による通信ネットワークシステムは、請求項１に記載の通信ネットワークシステムにおいて、前記アドレスは、固有アドレスもしくはグループアドレスを示す情報であり、前記端末の固有アドレスを変換することにより得られるグループアドレスに、前記端末が起動時から参加していることを特徴とするものである。
【発明の効果】
【００１１】
本発明の通信ネットワークシステムによれば、ネットワークに接続された少なくとも１台以上の端末と前記端末を管理する制御局から構成される通信ネットワークシステムにおいて、前記制御局は、送信パケットの生成、及び受信パケットの内容解析を行うパケット管理手段と、前記ネットワークへの送受信を制御する送受信制御手段と、接続されている前記端末の固有アドレスと現在の変更アドレスを管理するアドレス管理手段を備え、前記端末は、送信パケットの生成、及び受信パケットの内容解析を行うパケット管理手段と、前記ネットワークへの送受信を制御する送受信制御手段と、自局のアドレス情報を管理するアドレス管理手段を備え、前記制御局は、前記アドレス管理手段によりデータ配信先が１つの端末であると判断された場合は前記端末宛に配信し、データ配信先が複数の端末であると判断された場合は、すでにデータを配信している端末のアドレスを前記アドレス管理手段により取得し、前記アドレスに変更するための通知パケットを前記パケット管理手段により作成し、前記送受信制御手段により前記通知パケットをネットワークへ送信し、受信側である前記端末は、前記送受信制御手段により前記通知パケットを受信し、前記パケット管理手段により前記通知パケットがアドレス変更通知であることを識別し、前記アドレス管理手段により自局のアドレスを変更し、変更したアドレス宛に送信されたパケットの受信を開始するようにしたので、データ配信先が複数存在しても、配信端末は特定のアドレスに配信すればよく、またアドレスの管理が簡単になり、制御局、端末の処理負荷を軽減し、ネットワークの効率利用が可能になるという効果が得られる。
【発明を実施するための最良の形態】
【００１２】
以下に、本発明の通信ネットワークシステムについて、図面を用いて詳細に説明する。
（実施の形態１）
図１は、本発明の実施の形態１による通信ネットワークシステムの構成図である。
図１において、１０１は通信ネットワークを管理する制御局であり、データ配信を行う端末とする。１０２、１０３、１０４はそれぞれデータ受信を行う第１〜第３の端末であり、１０５は通信ネットワーク媒体を介して制御局１０１と第１〜第３の端末１０２〜１０４が接続されている通信ネットワークである。
【００１３】
図２は、本発明の実施の形態１による通信ネットワークシステムの制御局１０１の基本内部構成を示すブロック図である。
図２において、２０１は、パケットの生成、解析を行うパケット管理部であり、２０２は、ネットワークとのインタフェースをもち、パケットの送受信を制御する送受信制御部であり、２０３は、通信ネットワーク１０５において接続された第１〜第３の端末１０２〜１０４のアドレスを管理するアドレス管理部の一例である。
【００１４】
図３は、本発明の実施の形態１による通信ネットワークシステムの第１〜第３の端末１０２〜１０４の基本内部構成を示すブロック図である。
図３において、３０１は、パケットの生成、解析を行うパケット管理部であり、３０２は、ネットワークとのインタフェースをもち、パケットの送受信を制御する送受信制御部であり、３０３は、自局のアドレス情報を管理するアドレス管理部の一例である。
【００１５】
なお、送受信制御部３０２は、受信パケットのあて先がアドレス管理部３０３によって管理される端末の固有アドレス、端末が参加しているグループアドレス、または変更しているアドレスである場合はパケットの受信処理を行い、そうでない場合は破棄する。
【００１６】
図４〜図７は、本発明の実施の形態１による通信ネットワークシステムの制御局から第１〜第３の端末に対してデータ配信する場合の制御手順を示す図であり、システムの構成要素は図１および図２、図３に示すものと同一である。同図において縦軸は時間を表し、下方向に時間が経過するものとし、横軸は各時点における各端末の動作、もしくはその状態を示す。
【００１７】
以下、配信開始制御手順について説明する。
図４において、第１の端末１０２がデータ配信サービスを受けたいと判断したとき、まず第１の端末１０２のパケット管理部３０１において、制御局１０１宛にデータ配信要求パケットを作成し、第１の端末１０２の送受信制御部３０２により、通信ネットワーク１０５へ送信される（４０１）。制御局１０１は、送受信制御部２０２によってパケットを受信し、パケット管理部２０１によってデータ配信要求であることを識別し、アドレス管理部２０３によってまだデータ配信を行っていないことを認識し、第１の端末１０２に対して配信していることを示す情報を記録して（４０２）、パケット管理部２０１によって配信用パケットを作成し、送受信制御部２０２によって第１の端末１０２のアドレスＡ宛にパケット送信を開始する（４０３）。
【００１８】
次に、第１の端末１０２に対してデータ配信を行っているときに、第３の端末１０４がデータ配信サービスを受けたいと判断した場合、第３の端末１０４のパケット管理部３０１において、制御局１０１宛にデータ配信要求パケットを作成し、第３の端末１０４の送受信制御部３０２により、通信ネットワーク１０５へ送信される（４０４）。制御局１０１は、パケット管理部２０１によって第３の端末１０４からのデータ配信要求であることを識別し、アドレス管理部２０３によって第１の端末１０２に対して配信中であることを認識して、第３の端末１０４のアドレスＣを第１の端末１０２のアドレスＡに変更することを決定し、その情報をアドレス管理部２０３に記録する（４０５）。その後、パケット管理部２０１によってアドレス変更パケットを作成し、送受信制御部２０２によって第３の端末１０４宛にパケット送信を開始する（４０６）。第３の端末１０４の送受信制御部３０２によって受信したパケットを、パケット管理部３０１によってアドレス変更通知であることを認識し、アドレス管理部３０３によって自局のアドレスを第１の端末１０２に変更させる（４０７）。
【００１９】
図４のアドレス管理処理４０５における制御局１０１のアドレス管理部２０３が管理する情報の例を表１に示す。また、図４のアドレス管理処理４０７における第３の端末１０４のアドレス管理部３０３が管理する情報の例を表２に示す。
【表１】
2005130368.tif 000003
【表２】
2005130368.tif 000004
【００２０】
表１では、第１の端末１０２宛にデータ配信を行っており、第３の端末１０４の固有アドレスが第１の端末１０２の固有アドレスであるＡに変更していることを示し、表２では、第３の端末１０４の固有アドレスがＣであり、固有アドレスＣを変換することにより取得可能なグループアドレスＧｒｐＣと、現在のアドレスがＡであることを示している。
【００２１】
ここで、第３の端末１０４にアドレス変更通知を送信した制御局１０１は、第１の端末１０２宛にデータの配信を続けることにより、第１の端末１０２は、自局の固有アドレスと一致するため、第１の端末１０２の送受信制御部３０２によって第１の端末１０２のアドレスＡ宛のパケットを受信し（４０８）、また、第３の端末１０４は、自局アドレスを第１の端末１０２のアドレスＡに変更しているので、第３の端末１０４の送受信制御部３０２によって第１の端末１０２のアドレスＡ宛のパケットを受信する（４０９）ことが可能になる。従って、制御局１０１、第１、第３の端末１０２、１０４の処理負荷を軽減し、ネットワークの効率利用が可能になる。
【００２２】
次に、配信停止制御手順について説明する。
図５において、制御局１０１が第２の端末１０３および第３の端末１０４に対し、第１の端末１０２のアドレスＡに変更するよう通知し（５０１）、それを受けた第２の端末１０３および第３の端末１０４はそれぞれ自局アドレスを第１の端末１０２のアドレスＡに変更しており（５０２、５０３）、制御局１０１が第１の端末１０２のアドレスＡ宛にデータの配信を行い、第１の端末１０２、および第２の端末１０３、第３の端末１０４がデータを受信している状態を示している（５０４〜５０６）。
【００２３】
このとき第２の端末１０３がデータ配信における受信を停止することを決定した場合、第２の端末１０３のアドレス管理部３０３によって変更していた自局のアドレスＡを解除し（５０７）、第２の端末１０３のパケット管理部３０１において配信停止要求を意味する制御局１０１宛のパケットを作成し、自局の固有アドレスＢをアドレス管理部３０３を用いて取得し、パケット管理部３０１により前記固有アドレスＢをパケットに付与し（図示せず）、送受信制御部３０２によって送信する（５０８）。
【００２４】
送受信制御部２０２でパケットを受信した制御局１０１は、パケット管理部２０１において、第２の端末１０３からの配信停止要求であることを認識し、アドレス管理部２０３において第２の端末１０３の変更アドレスＡを無効にする（５０９）。
【００２５】
制御局１０１は、引き続き第１の端末１０２宛にデータ配信を行うとき、第１の端末１０２は固有アドレスＡと一致するため、データの受信が可能であり（５１０）、また、第３の端末１０４は変更アドレスを第１の端末１０２のアドレスＡとしているため、データの受信が可能である（５１１）が、第２の端末１０３は変更アドレスＡを無効にしたことにより、自局の固有アドレスＢと一致しないのでデータを受信することがない。従って、第２、第３の端末１０３、１０４の自局アドレスを第１の端末１０２のアドレスＡに変更した後、第２の端末１０３がデータ配信における受信を停止するときはその旨のパケットを制御局１０１に送信することで、複数のデータ配信先のうち、第２の端末１０３へのデータ配信を停止し、第１、第３の端末１０２、１０４へのデータ配信を続けることができ、制御局１０１、および第１〜第３の端末１０２、１０３、１０４の処理負荷を軽減し、ネットワークの効率利用が可能になる。
【００２６】
次に、他の配信停止制御手順について説明する。
図６において、制御局１０１が第２の端末１０３および第３の端末１０４に対し、第１の端末１０２のアドレスＡに変更するよう通知し（６０１）、それを受けた第２の端末１０３および第３の端末１０４はそれぞれ自局の固有アドレスを第１の端末１０２のアドレスＡに変更しており（６０２、６０３）、制御局１０１が第１の端末１０２のアドレスＡ宛にデータの配信を行い、第１の端末１０２、および第２の端末１０３、第３の端末１０４が受信している状態を示している（６０４〜６０６）。
【００２７】
このとき第１の端末１０２がデータ配信における受信を停止することを決定した場合、第１の端末１０２のパケット管理部３０１において配信停止要求を意味する制御局１０１宛のパケットを作成し、送受信制御部３０２によって制御局１０１へ送信する（６０７）。
【００２８】
送受信制御部２０２でパケットを受信した制御局１０１は、パケット管理部２０１において第１の端末１０２からの配信停止要求であることを認識し、アドレス管理部２０３において第１の端末１０２宛に配信中である情報を削除する。ここで、制御局１０１は、アドレス管理部２０３において、第２の端末１０３および第３の端末１０４が、それぞれ自局のアドレスを現在第１の端末１０２のアドレスＡに変更していることを識別し（６０８、６１０）、第２の端末１０３に対しアドレス変更を解除するパケット（６０９）、及び第３の端末１０４に対し第２の端末１０３のアドレスＢに変更するパケット（６１２）をパケット管理部２０１において作成し、送受信制御部２０２において通信ネットワーク１０５へ送信し、アドレス変更解除パケット（６０９）を第２の端末１０３へ、アドレス変更要求パケット（６１２）を第３の端末１０４へ送信する。
【００２９】
アドレス変更解除パケット（６０９）を送受信制御部３０２で受信した第２の端末１０３は、パケット管理部３０１においてアドレス変更解除であることを識別し、自局のアドレス変更を解除する（６１１）。また、アドレス変更要求パケット（６１２）を送受信制御部３０２で受信した第３の端末１０４は、パケット管理部３０１においてアドレス変更要求であることを認識し、自局のアドレスを第２の端末１０３のアドレスＢに変更する（６１３）。
【００３０】
制御局１０１は、第２の端末１０３宛てにデータを配信することにより、第２の端末１０３および第３の端末１０４宛てにデータを配信することが可能となり（６１４、６１５）、制御局１０１、および第１〜第３の端末１０２、１０３、１０４の処理負荷を軽減し、ネットワークの効率利用が可能になる。
【００３１】
次に、他の配信開始制御手順について説明する。
図７において、ＩＥＥＥ８０２．１１などのパケットを受信するとその受信確認パケットを返す通信ネットワーク手段を用いた場合のデータ配信手順を示している。ここで、ＩＥＥＥ８０２．１１を用いた場合、端末のアドレスを他の端末のアドレスに変更すると、ひとつのパケットに対して複数の端末から受信確認パケットが同時に送信されてしまい、受信側で受信確認パケットを正確に受信することができない。
【００３２】
図７において、第１の端末１０２からのデータ配信要求（７０１）を受信した制御局１０１がそのアドレス管理部に第１の端末１０２のアドレスＡ宛てに送信することを記録し（７０２）、第１の端末１０２宛てにデータの配信を開始する（７０３）手順までは、図４の４０１から４０３と同じである。
【００３３】
その後、第３の端末１０４からのデータ配信要求（７０４）を送受信制御部２０２において受信した制御局１０１は、パケット管理部２０１においてデータ配信要求であることを識別し、アドレス管理部２０３において第３の端末１０４のアドレスを第１の端末１０２のアドレスＡに変えさせるのではなく、第１の端末１０２のグループアドレスＧｒｐＡに変更させる事を決定し記録し（７０５）、パケット管理部２０１において第３の端末１０４宛てにＧｒｐＡアドレスに変更する通知パケットを作成し、送受信制御部２０２によって通信ネットワーク１０５へ送信する（７０６）。
【００３４】
送受信制御部３０２でパケットを受信した第３の端末１０４は、パケット管理部３０１によって、アドレスをＧｒｐＡに変更する要求であることを認識し、アドレス管理部３０３において自局のアドレスをＧｒｐＡに変更する（７０７）。
【００３５】
制御局１０１は、それまで第１の端末１０２のアドレスＡ宛てに行っていたデータ配信先アドレスをパケット管理部２０１においてＧｒｐＡに変更し、送受信制御部２０２において通信ネットワーク１０５へ送信する。第１の端末１０２および第３の端末１０４の送受信制御部３０２は、それぞれ自局が参加しているグループアドレスと一致し、自局のアドレスと一致するため、受信処理を開始する（７０８、７０９）。第２の端末１０３の送受信制御部３０２は、自局のグループアドレス、自局の変更したアドレスに一致しないので受信処理をしない。これにより、制御局１０１がＧｒｐＡアドレス宛にデータを配信することで第１の端末１０２及び第３の端末１０４がデータを受信でき、制御局１０１、および第１、第３の端末１０２、１０４の処理負荷を軽減し、ネットワークの効率利用が可能になる。
【００３６】
なお、本実施の形態１では、通信ネットワークの管理とデータ配信を制御局１０１が行うものとしているが、制御局１０１が通信ネットワークの管理を行い、端末がデータ配信を行ってもよい。
【００３７】
また、アドレスは、固有アドレスもしくはグループアドレスを示す情報であり、グループアドレスは、前記端末の固有アドレスを変換することによって得られ、前記端末が起動時から参加しているものとする。
【００３８】
このように本実施の形態１によれば、ネットワーク１０５に接続された第１〜第３の端末１０２〜１０４と前記端末を管理する制御局１０１から構成される通信ネットワークシステムにおいて、前記制御局１０１は、送信パケットの生成、及び受信パケットの内容解析を行うパケット管理部２０１と、前記ネットワークへの送受信を制御する送受信制御部２０２と、接続されている前記端末の固有アドレスと現在の変更アドレスを管理するアドレス管理部２０３を備え、前記第１〜第３の端末１０２〜１０４は、送信パケットの生成、及び受信パケットの内容解析を行うパケット管理部３０１と、前記ネットワークへの送受信を制御する送受信制御部３０２と、自局のアドレス情報を管理するアドレス管理部３０３を備え、前記制御局１０１は、前記アドレス管理部２０３によりデータ配信先が第１の端末１０２であると判断された場合は前記端末宛に配信し、データ配信先が第１、第３の端末１０２、１０４であると判断された場合は、すでにデータを配信している第１の端末１０２のアドレスを前記アドレス管理部２０３により取得し、前記アドレスに変更するための通知パケットを前記パケット管理部２０１により作成し、前記送受信制御部２０２により前記通知パケットをネットワーク１０５へ送信し、受信側である前記第３の端末１０４は、前記送受信制御部３０２により前記通知パケットを受信し、前記パケット管理部３０１により前記通知パケットがアドレス変更通知であることを識別し、前記アドレス管理部３０３により自局のアドレスを第１の端末１０２のアドレスに変更し、変更したアドレス宛に送信されたパケットの受信を開始するようにしたので、制御局、第１〜第３の端末の処理負荷を軽減し、ネットワークの効率利用を可能にできるという効果がある。
【００３９】
なお、配信データは動画像信号または音声信号等のようにリアルタイム性を必要とするディジタル化信号であれば、どのような信号でも良く、また通信ネットワーク手段としてはマルチキャスト機能をサポートするものであればどのようなものでもよいが、本実施の形態では伝送速度１００Ｍｂｐｓの１００ＢＡＳＥ−Ｔイーサネット（登録商標）（ＩＥＥＥ８０２．３ｕ）を使用し、リピーターを介して制御局と端末を接続するものとする。
【００４０】
また、イーサネット（登録商標）で使用されるアドレスには、固有／グループを現すビットがあり、本実施の形態１では、例えば第１の端末１０２の固有アドレスＡは、通信ネットワーク内において一意に決定され、固有／グループビットは「０」である。また、第１の端末１０２が参加しているグループアドレスＧｒｐＡは、第１の端末１０２のアドレスの固有／グループビットを「１」に設定したものとする。
【産業上の利用可能性】
【００４１】
本発明にかかる通信ネットワークシステムは、制御局、および端末の処理負荷を軽減し、ネットワークの効率利用が可能になる効果を有する通信ネットワークシステム等に有用である。
【図面の簡単な説明】
【００４２】
【図１】本発明の実施の形態１における通信ネットワークシステムの構成図である。
【図２】本発明の実施の形態１における通信ネットワークシステムの制御局の基本内部構成を示す図である。
【図３】本発明の実施の形態１における通信ネットワークシステムの端末の基本内部構成を示す図である。
【図４】本発明の実施の形態１における通信ネットワークシステムの配信開始制御手順を示す図である。
【図５】本発明の実施の形態１における通信ネットワークシステムの配信停止制御手順を示す図である。
【図６】本発明の実施の形態１における通信ネットワークシステムの配信停止制御手順を示す図である。
【図７】本発明の実施の形態１における通信ネットワークシステムの配信開始制御手順を示す図である。
【符号の説明】
【００４３】
１０１    制御局
１０２    第１の端末
１０３    第２の端末
１０４    第３の端末
１０５    通信ネットワーク
２０１    制御局のパケット管理部
２０２    制御局の送受信制御部
２０３    制御局のアドレス管理部
３０１    端末のパケット管理部
３０２    端末の送受信制御部
３０３    端末のアドレス管理部
４０１    配信要求パケット
４０２    アドレス管理処理
４０３    データ配信パケット
４０４    データ配信要求パケット
４０５    アドレス管理処理
４０６    アドレス変更通知パケット
４０７    アドレス管理処理
４０８    データ配信パケット
４０９    データ配信パケット
５０１    アドレス管理処理
５０２    アドレス管理処理
５０３    アドレス管理処理
５０４    データ配信パケット
５０５    データ配信パケット
５０６    データ配信パケット
５０７    アドレス管理処理
５０８    データ配信停止パケット
５０９    アドレス管理処理
５１０    データ配信パケット
５１１    データ配信パケット
６０１    アドレス管理処理
６０２    アドレス管理処理
６０３    アドレス管理処理
６０４    データ配信パケット
６０５    データ配信パケット
６０６    データ配信パケット
６０７    データ配信停止パケット
６０８    アドレス管理処理
６０９    アドレス変更解除パケット
６１０    アドレス管理処理
６１１    アドレス管理処理
６１２    アドレス変更要求パケット
６１３    アドレス管理処理
６１４    データ配信パケット
６１５    データ配信パケット
７０１    配信要求パケット
７０２    アドレス管理処理
７０３    データ配信パケット
７０４    データ配信要求パケット
７０５    アドレス管理処理
７０６    アドレス変更通知パケット
７０７    アドレス管理処理
７０８    データ配信パケット
７０９    データ配信パケット
【図１】
2005130368.tif 000005
【図２】
2005130368.tif 000006
【図３】
2005130368.tif 000007
【図４】
2005130368.tif 000008
【図５】
2005130368.tif 000009
【図６】
2005130368.tif 000010
【図７】
2005130368.tif 000011